(57)【要約】【課題】天板にかかる荷重のバランスを効率よく全体に分配し、天板の撓みを抑制する事によって、天板の凹みや打痕を防止することが可能な空気調和機の室外機ユニットを得る。【解決手段】前面パネル１２、側面パネル１３、送風機固定板５０の水平部５１、インスレーション４１及び補強部材６０のそれぞれは、天板１４の内面に接触して天板１４にかかる荷重を分散して支持し、また、補強部材６０の上面は、天板１４の内面形状に沿う形状を有するものである。【選択図】図３
2010175090.tif 000002
【特許請求の範囲】
【請求項１】
底面を形成するベース、前面パネル、側面パネル、及び上面を形成する天板を有する筐体と、
前記ベース上の背面側に配置され、外気との熱交換を行う熱交換機と、
前記ベース上に立設され、前記筐体内を、前記熱交換機及び送風機を配置した送風機室と圧縮機を配置した機械室とに仕切る仕切板と、
前記筐体の前方側において前記仕切板の上部に前記送風機室から前記機械室に跨るように配置され、電装品を収容する電装品箱と、
該電装品箱の上面において前記仕切板の上方に対応する位置に前後方向に延びるようにして配置された衝撃緩衝部材と、
前記熱交換機の前記電装品箱の後方に位置する部分の上部を覆う補強部を有する補強部材と、
前記送風機室の上部で前記熱交換機から前記前面パネルに掛け渡される水平部を有し、前記送風機を固定するための送風機固定板とを備え、
前記前面パネル、前記側面パネル、前記送風機固定板の前記水平部、前記衝撃緩衝部材及び前記補強部材のそれぞれは、前記天板の内面に接触して前記天板にかかる荷重を分散して支持し、また、前記補強部材の上面は、前記天板の内面形状に沿う形状を有することを特徴とする空気調和機の室外機ユニット。
【請求項２】
前記前面パネル及び前記側面パネルは、上端が折り曲げられて前記天板の内面形状に沿ったフランジを有することを特徴とする請求項１記載の空気調和機の室外機ユニット。
【請求項３】
前記天板の全周又は一部を内側に向かって折り返し又は湾曲させたことを特徴とする請求項１又は請求項２記載の空気調和機の室外機ユニット。
【請求項４】
前記送風機固定板の水平部の上面は、天板の内面形状に沿う形状を有することを特徴とする請求項１乃至請求項３の何れかに記載の空気調和機の室外機ユニット。
【請求項５】
前記送風機固定板は前後方向に延びる前記水平部と該水平部から垂下する垂直部とを有して側面視略Ｔ字型に形成され、前記水平部の前方片の先端は前面パネルに固定され、前記水平部の後方片は前記熱交換機の上端部を挟み込むように側面視下向き略コ字状に形成れて前記熱交換機の上部に嵌合され、前記垂直部の下端は前記ベースに固定されていることを特徴とする請求項１乃至請求項４の何れかに記載の空気調和機の室外機ユニット。
【請求項６】
前記送風機固定板は、前記送風機室の左右方向の中央部に配置されていることを特徴とする請求項５記載の空気調和機の室外機ユニット。
【請求項７】
前記補強部材は、前記補強部から前記仕切板の上端を覆って前記電装品箱まで延びる腕部を備えており、該腕部は前記仕切板の上端部分で前記機械室側に折り返されてフランジを形成しており、また、前記補強部材の前記補強部は、前記熱交換機の上端部を挟み込むための側面視下向き略コ字状の嵌合部を有し、前記腕部に形成されたフランジと前記補強部の前記嵌合部とにより前記補強部材が前記熱交換機に対して位置決め配置されることを特徴とする請求項１乃至請求項６の何れかに記載の空気調和機の室外機ユニット。
【請求項８】
前記補強部材と前記仕切板との間に、前記送風機室から前記仕切板を跨いで前記機械室に配線されるリード線の配線用の空間が形成されていることを特徴とする請求項１乃至請求項７の何れかに記載の空気調和機の室外機ユニット。
【請求項９】
前記仕切板は、前記リード線配線用の開口を有し、前記補強部材の前記腕部に形成されたフランジは、前記開口に通されたリード線と前記開口との間の隙間を覆うように前記仕切板の上端で折り返されていることを特徴とする請求項７又は請求項８記載の空気調和機の室外機ユニット。
【請求項１０】
前記補強部材は、前記送風機室から前記仕切板を跨いで前記機械室に配線されるリード線を位置決め固定するための突出片を有することを特徴とする請求項１乃至請求項９の何れかに記載の空気調和機の室外機ユニット。
【請求項１１】
前記補強部材を樹脂で構成したことを特徴とする請求項１乃至請求項１０の何れかに記載の空気調和機の室外機ユニット。
【発明の詳細な説明】
【技術分野】
【０００１】
本発明は、空気調和機の室外機ユニットに関し、更に詳しくは、室外機ユニットの筐体の上方からの荷重による天板の撓みを抑制するための補強構造に関する。
【背景技術】
【０００２】
従来の空気調和機の室外機ユニットの筐体は、底板となるベースの周囲に左右面及び前後面を形成する外装パネルを配置し、外装パネルの上面に天板を載せて組み立てられている。そして、筐体内はベースに立設された仕切板により送風機室と機械室とに区画され、送風機室には送風機や熱交換機等が配置され、機械室には圧縮機等が配置されている。
【０００３】
空気調和機の室外機ユニットは、外気の熱交換を効率的に行うために室外ユニットの背面側の面積の殆どを占めるようにして熱交換機を配置している。その結果、送風機室の容積は機械室に比べて大きな割合を占めている。このため、例えば輸送時に作業者が天板上に乗る等して天板に荷重がかかった場合、荷重の分配バランスが送風機室側に偏ったものとなり、凹みや打痕が生じるという問題があった。
【０００４】
この対策として従来より、筐体内を送風機室と機械室とに区画する仕切板の上面から熱交換機の上面にかけて荷重を受ける補強板を追加したもの（特許文献１参照）がある。また、筐体の前方側において仕切板の上部に送風機室と機械室とを跨るように電装品箱（電装部品の収納箱）を配置したタイプの室外機ユニットでは、電装品箱の上面に前後方向にインスレーション（衝撃緩衝部材）を設けている。そして、インスレーションにより天板にかかる荷重を受けるようにしている（例えば、特許文献２参照）。
【先行技術文献】
【特許文献】
【０００５】
【特許文献１】特開昭６１−９３３６５号公報（第２頁、第３頁、図１）
【特許文献２】特開２００４−２４５５６８号公報（図３、第４頁）
【発明の概要】
【発明が解決しようとする課題】
【０００６】
特許文献１の技術は、電装部品を全て機械室内に配置するタイプの機種には適用可能であるが、仕切板の上部に送風機室と機械室とを跨るように電装品箱を配置するタイプの機種には適用できない。また、特許文献２の技術では、送風機室等、補強が設けられていない箇所に荷重がかかった場合、依然として天板に撓みや打痕が発生する可能性が高く、十分な対策が取られているとは言い難い。
【０００７】
本発明は上記のような課題を解決するためになされたもので、天板にかかる荷重のバランスを効率よく全体に分配し、天板の撓みを抑制する事によって、天板の凹みや打痕を防止することが可能な空気調和機の室外機ユニットを得ることを目的とするものである。
【課題を解決するための手段】
【０００８】
本発明に係る空気調和機の室外機ユニットは、底面を形成するベース、前面パネル、側面パネル、及び上面を形成する天板を有する筐体と、ベース上の背面側に配置され、外気との熱交換を行う熱交換機と、ベース上に立設され、筐体内を、熱交換機及び送風機を配置した送風機室と圧縮機を配置した機械室とに仕切る仕切板と、筐体の前方側において仕切板の上部に送風機室から機械室に跨るように配置され、電装品を収容する電装品箱と、電装品箱の上面において仕切板の上方に対応する位置に前後方向に延びるようにして配置された衝撃緩衝部材と、熱交換機の電装品箱の後方に位置する部分の上部を覆う補強部を有する補強部材と、送風機室の上部で熱交換機から前面パネルに掛け渡される水平部を有し、送風機を固定するための送風機固定板とを備え、前面パネル、側面パネル、送風機固定板の水平部、衝撃緩衝部材及び補強部材のそれぞれは、天板の内面に接触して天板にかかる荷重を分散して支持し、また、補強部材の上面は、天板の内面形状に沿う形状を有するものである。
【発明の効果】
【０００９】
本発明によれば、天板にかかる荷重をバランス良く分散して支持し、天板の撓みを抑制することが可能で、天板の凹みや打痕を防止することが可能な空気調和機の室外機ユニットを得ることができる。
【図面の簡単な説明】
【００１０】
【図１】本発明の一実施の形態の空気調和機の室外機ユニットの斜視図である。
【図２】図１の室外機ユニット筐体の一部分解斜視図である。
【図３】図１の空気調和機の室外機ユニットにおいて天板を取り外した状態の平面図である。
【図４】図１の補強部材の拡大斜視図である。
【図５】図１において円で囲んだ部分の拡大斜視図である。
【図６】図４の補強部材を熱交換機に取り付けた状態のＡ−Ａ断面図である。
【図７】補強部材にリード線を位置決め固定するための突出片を設けた図である。
【図８】従来の空気調和機の室外機ユニットの斜視図である。
【図９】図８の空気調和機の室外機ユニットにおいて天板を取り外した状態の平面図である。
【発明を実施するための形態】
【００１１】
実施の形態
図１は、本発明の実施の形態１による天板の補強構造を有する空気調和機の室外機ユニットの斜視図である。図２は、図１の室外機ユニットの筐体の一部分解斜視図である。図３は、図１の空気調和機の室外機ユニットにおいて天板を取り外した状態の平面図である。なお、図３においてハッチングした部分は、天板の内面に接触する部分で、言わば天板の補強部分に相当する部分を示している。なお、以下の説明において、正面側とは、図１及び図２の手前側（前方側）を指し、背面側とは、図１及び図２の奥側（後方側）を指すものとする。
室外機ユニットの筐体１０の底面となるベース１１上には、前面から左側面を形成する前面パネル１２と、右側面と背面の一部を形成する側面パネル１３とが配置されている。そして、これらの上面に天板１４が装着されて室外機ユニットの筐体１０が形成されている。前面パネル１２及び側面パネル１３は板金あるいは樹脂を折曲することにより成型されている。
【００１２】
熱交換機２０は平面視略Ｌ字型を有し、ベース１１上の背面側に配置されており、筐体１０の背面を構成する背面部２１と、曲面部２２と、前面パネル１２の左面側に沿う平面部２３とを有している。
【００１３】
前面パネル１２は、前面部１２ａと左側面部１２ｂとを有し、それぞれの上端は、筐体１０の内側に折り曲げられてフランジ１２ｃとフランジ１２ｄとを形成している。フランジ１２ｃとフランジ１２ｄのそれぞれは、天板１４の内面に沿った形状を成し、天板１４の垂直方向にかかる圧縮加重を支持する補強部材として機能している。
【００１４】
側面パネル１３は、右側面部１３ａと右側面部１３ａから折り曲げられて室外ユニットの背面の一部を構成する背面部１３ｂとを有し、それぞれの上端は、筐体１０の内側に折り曲げられてフランジ１３ｃとフランジ１３ｄとを形成している。このフランジ１３ｃ及びフランジ１３ｄも、天板１４の内面に沿った形状を成し、天板１４の垂直方向にかかる圧縮加重を支持する補強部材として機能している。
【００１５】
天板１４は、外周部分が下方に向けて湾曲しており、詳細図示されていないが、その先端部は内側に向けて折り返されるか又は湾曲して構成されている。この折り返し部分により、天板１４自体の強度が上がると共に、風雨等により、室外機ユニット内へ水が侵入するのを防止又は軽減する効果がある。
【００１６】
筐体１０内は、ベース１１上に立設された樹脂製の仕切板３０により左右に仕切られ、送風機室Ａと機械室Ｂとが構成されている。送風機室Ａには送風機１６や外気との熱交換を行う熱交換機２０や氷結防止ヒータ（図示せず）等が配置されている。また、機械室Ｂには圧縮機（図示せず）等が配置されている。送風機１６は、板金で成型された送風機固定板５０に固定され、送風機室Ａ内に配置されている。
【００１７】
仕切板３０は、前面パネル１２の内面から後方に垂直方向に延出する垂直部（図示せず）と、垂直部の端部から送風機室Ａの容積を大きくする方向に傾斜する傾斜部３２とを有し、板金等を折曲して形成されている。
【００１８】
筐体１０の前方側において、仕切板３０の上部には、送風機室Ａから機械室Ｂに跨るように電装品箱４０が配置されている。電装品箱４０の上面において仕切板３０の上方に対応する位置に、前後方向に延びるようにしてインスレーション４１が貼り付けられている。インスレーション４１は、天板１４の上方からの荷重に対する衝撃を緩衝するためのもので、インスレーション４１の上面は天板１４の下面に接触している。インスレーション４１は、例えばポリエチレン樹脂の発泡剤、ウレタン樹脂の発泡剤又はゴム等の材質の材料で構成されている。材質によって硬度や特性（緩衝緩和のみのものや、防音・気密などを兼ねたもの）が異なるため、適宜の材質のものを採用する。
【００１９】
熱交換機２０の背面部２１の前面には、送風機１６を固定するための送風機固定板５０が固定されている。送風機固定板５０は、送風機室Ａの幅方向の略中央部に設置され、送風機１６を送風機室Ａの略中央に位置固定させるものである。送風機固定板５０は、筐体１０の前後方向に略水平に延びる水平部５１と、水平部５１の奥行き方向の中央部から垂下する垂直部５２とが一体的に成形されて側面視略Ｔ字型を成している。垂直部５２は、熱交換機２０の背面部２１の前面に接触し、垂直部５２の下端５２ａはベース１１上に固定されている。固定手段は、ネジ留めとしても良いし、鉤状等の引っ掛けにて固定するようにしてもよい。
【００２０】
また、送風機固定板５０の水平部５１の前方片５１ａの先端は前面パネル１２の前面部１２ａの上部にネジあるいは鉤状の引っ掛け等で固定されている。また、水平部５１の後方片５１ｂは側面視下向き略コ字状に形成され、熱交換機２０の上端部を挟み込む形で熱交換機２０に固定されている。このように送風機固定板５０は、熱交換機２０から前面パネル１２に掛け渡すようにして取り付けられ、室外機ユニットの梁の役目を果たし、室外機ユニットのねじれ方向の剛性を向上させている。
【００２１】
送風機固定板５０の水平部５１の後方片５１ｂにおいて熱交換機２０の上端部を挟み込んだ部分の上面は、天板１４の内面に沿った形状を成し、天板１４の垂直方向にかかる圧縮加重を支持する補強部材として機能している。また、送風機固定板５０の水平部５１の前方片５１ａの上面には、絞り加工により形成された複数（ここでは４つ）の凸部５１ｃが分散されて配置されている。この凸部５１ｃの上面も、天板１４の内面に沿った形状を成し、天板１４の垂直方向にかかる圧縮加重を支持する補強部材として機能している。
【００２２】
また、熱交換機２０の上部から仕切板３０の垂直部の上部にかけて、本発明の特徴部分である補強部材６０が配置されている。
【００２３】
図４は、補強部材の拡大斜視図である。図５は、図１において円で囲んだ部分の拡大斜視図で、図４の補強部材の筐体への取付説明図である。図６は、図４の補強部材を熱交換機上に取り付けた状態のＡ−Ａ断面図である。
補強部材６０は、熱交換機２０の背面部２１において電装品箱４０の後方に位置する部分（言い換えれば、仕切板３０の垂直部の後方に位置する部分）の上部を覆う補強部６１と、補強部６１の機械室Ｂ側の端部から筐体１０の奥行き方向の手前側に延びる第１腕部６２と、第１腕部６２の自由端部から補強部６１と平行な方向に延びる第２腕部６３とが一体的に成型された構成を有している。補強部材６０は、板金、ゴム、樹脂等で構成されている。補強部材６０の材質は特に限定するものではないが、樹脂の場合、形状の自由度が高いため製造上のメリットが得られる。
【００２４】
補強部材６０の補強部６１上には、天板１４の下面に接触する天板接触部６１ａが突設されている。天板接触部６１ａの上面は、天板１４の内面形状に沿う形状に形成されている。具体的には、筐体１０の背面側に向かうに従って下方に傾斜する傾斜面となっている。天板接触部６１ａは、補強部６１の上面において局所的ではなく左右方向に有る程度の長さを持って形成されており、天板１４に加わる荷重を上部の補強部材６０の天板接触部６１ａの全面で受けている。これにより、熱交換機２０に局所的に荷重が伝わるのを避け、分散して伝わるようにしている。
【００２５】
また、補強部６１の一部には、熱交換機２０の上部を間に挟んで前後方向に対向する一対のフランジ６４ａ、６４ｂを有し、この一対のフランジ６４ａ、６４ｂと補強部６１の下面で側面視下向き略コ字状の嵌合部が形成されている。補強部材６０は、この嵌合部により熱交換機２０の上部を挟むようにして熱交換機２０に接続される。また、第１腕部６２は、仕切板３０の傾斜部３２の上端部分で機械室Ｂ側に折り返され、傾斜部３２の傾斜に沿うように形成されたフランジ６５を有している。このような補強部６１の嵌合部と第１腕部６２に形成されたフランジ６５とにより、補強部材６０は、電装品箱４０の後方部分の補強箇所に簡単に位置決め配置することが可能となっている。
【００２６】
ところで、仕切板３０の傾斜部３２の上端には、送風機室Ａに配置された部品（送風機１６や氷結防止ヒータ等）のリード線３４（後述の図７参照）を機械室Ｂ側へと導くための切り欠き３３が形成されている。この切り欠き３３にリード線３４を通して機械室Ｂ側に配線されることにより、ユニット組立時にリード線３４が仕切板３０と天板１４との間に挟み込まれるのを防止している。なお、切り欠き３３として、図５には上部を開放したＵ字状の切り欠きを例示したが、これに限られたものではなく通過孔でも良い。要はリード線３４が通過するための空間を形成する何らかの開口が設けられていれば良い。但し、リード線配線時の作業性を考えると、通過孔よりも切り欠き３３の方が好ましい。
【００２７】
補強部材６０のフランジ６５には、仕切板３０の切り欠き３３に対応する位置に切り欠き（穴としても良い）６６が形成され、リード線３４の通過を妨げないようにしている。ところで、仕切板３０の傾斜部３２の上端には切り欠き３３が形成されているため、この隙間から風雨が機械室Ｂへと侵入する可能性がある。すなわち、室外機ユニットは屋外に設置されるため、熱交換機２０の背面部２１から筐体内部へと風雨が侵入する可能性がある。本例では、第１腕部６２のフランジ６５が、仕切板３０の上端で機械室Ｂ側に折り返されており、切り欠き３３部分を上方から覆うようにしているので、切り欠き３３から機械室Ｂへ風雨等により水が進入するのを防止又は軽減することが可能となる。また、切り欠き３３に通されたリード線３４と切り欠き３３との間の隙間もなるべくフランジ６５で覆えるようにフランジ６５が構成されており、この点からも、切り欠き３３から機械室Ｂへ風雨等により水が進入するのを防止又は軽減することが可能となっている。
【００２８】
また、補強部材６０の補強部６１は、上述したように天板接触部６１ａが天板１４の内面形状に沿う形状に成型され、補強部６１と天板１４の内面との間に隙間がない構成となっている。このため、上記のフランジ６５と同様、熱交換機２０の背面部２１から筐体１０内部へと風雨が侵入するのを防止する効果がある。このように、本例の構成では、補強部材６０の補強部６１とフランジ６５とによって２段階で風雨侵入対策を図っているため、送風機室Ａから機械室Ｂへの風雨侵入経路の遮断効果が高く、風雨侵入防止効果が高い。
【００２９】
図７は、補強部材にリード線を位置決め固定するための突出片を設けた図である。
図７に示すように、補強部材６０に、リード線３４の位置決め固定用（配線引き回し矯正用）の一対の鉤状の突出片６７を設けた構成としてもよい。この一対の突出片６７の間にリード線３４を挟持することによりリード線３４の位置を固定することで、リード線３４が板金部品のエッジ部又は他の部品に接触して損傷するのを防止することができる。なお、突出片６７の形状は図７の形状に限られたものではなく、円柱又は角柱としてもよい。また、必ずしも一対設けなくても良く、下側の１個だけ設けてリード線３４を引っかけるようにしてもよい。要は、リード線３４の位置決め固定可能な突出片であれば良く、形状や個数は任意である。
【００３０】
ここで、本発明と同様に仕切板の上部に送風室と機械室とに跨って電装品箱を配置した従来構造の天板補強構造と、図３に示した本発明の構造とを比較し、本発明の構造による天板補強効果について考察する。図８は従来構造の斜視図、図９は図８の構造において天板を取り外した状態の平面図である。図９においてハッチングした部分は、天板１４の内面に接触する部分を示している。
図８及び図９に示す従来構造では、機械室Ｂ側の後方に関しては補強箇所が殆ど存在していない。そのため、機械室Ｂ側、特に機械室Ｂ側の後方などに、倉庫での荷扱い時又は製品の運搬時に空気調和機の室外機ユニット上部に人が乗るなど、天板１４に集中的な荷重が発生した場合、天板がたわんで凹みが発生する。又は天板１４がたわんでしまった結果、天板１４との距離が最も近い部品に天板１４が接触し、打痕が発生してしまうケースがある。
【００３１】
これに対し、本発明の構造では、以下の効果がある。
図３においてハッチングで示した部分は、上述したように天板下面の補強部として機能する部分である。すなわち、筐体１０の前面パネル１２のフランジ１２ｃ及び１２ｄは天板下面の前部及び左部の補強部となる。また、側面パネル１３のフランジ１３ｃ及び１３ｄは、天板下面の左部及び背面の一部の補強部となる。また、補強部材６０の補強部６１の天板接触部６１ａは、天板１４の後方の補強部となる。また、送風機室Ａにおいては、幅方向の中心部に配置された送風機固定板５０の上面の複数の凸部５１ｃが補強部となる。また、仕切板３０の上部では、インスレーション４１が補強部となる。
【００３２】
このように、これらの補強部は、図３のハッチング部分から明らかなように分散配置されている。従って、例えば輸送時に作業者が天板１４上に乗る等して天板１４に荷重がかかった場合、これらの各部分に荷重が分散してかかることになる。また、その天板１４との接触部分は、上述したように天板１４の内面形状に沿う形状としているため、天板１４荷重を最もバランス良く受けることが可能である。また、送風機固定板５０は、送風機室Ａの左右方向の略中央部に設置されているため、送風機室Ａにかかる荷重を水平部５１で効果的に支持することが可能である。以上のことから、天板１４にかかる荷重のバランスを効率よく全体に分配し、天板１４の撓みを抑制することが可能である。その結果、倉庫保管時や輸送時に、作業者が上に乗る等の行為による天板１４にかかる圧縮荷重をバランスよく各構造体へと分配し、充分な補強強度を確保することが可能となる。よって、天板１４の凹みや打痕を防止することが可能な空気調和機の室外機ユニットを得ることができる。
【００３３】
また、本例の構造の場合、空気調和機の室外機ユニット本体自体が、天板１４にかかる荷重に対する高い補強効果を有するため、天板１４への荷重を軽減、保護に要していた木材又はダンボール等の梱包材を簡略化し、運搬用部材の削減を図ることができる。
【符号の説明】
【００３４】
１０  筐体、１１  ベース、１２  前面パネル、１２ａ  前面部、１２ｂ  左側面部、１２ｃ  フランジ、１２ｄ  フランジ、１３  側面パネル、１３ａ  右側面部、１３ｂ  背面部、１３ｃ  フランジ、１３ｄ  フランジ、１４  天板、１６  送風機、２０  熱交換機、２１  背面部、２２  曲面部、２３  平面部、３０  仕切板、３２  傾斜部、３３  切り欠き、３４  リード線、４０  電装品箱、４１  インスレーション、５０  送風機固定板、５１  水平部、５１ａ  前方片、５１ｂ  後方片、５１ｃ  凸部、５２  垂直部、５２ａ  下端、６０  補強部材、６１  補強部、６１ａ  天板接触部、６２  第１腕部、６３  第２腕部、６４ａ  フランジ、６４ｂ  フランジ、６５  フランジ、６６  切り欠き、６７  突出片、Ａ  送風機室、Ｂ  機械室。
【図１】
2010175090.tif 000003
【図２】
2010175090.tif 000004
【図３】
2010175090.tif 000005
【図４】
2010175090.tif 000006
【図５】
2010175090.tif 000007
【図６】
2010175090.tif 000008
【図７】
2010175090.tif 000009
【図８】
2010175090.tif 000010
【図９】
2010175090.tif 000011